(57)【要約】【課題】前室および組立室の構成部品を共通化しつつ長さの異なる電気機器を組み立て可能とする。【解決手段】内部で電気機器が組み立てられる組立室１１０と、組立室１１０に隣接して設けられ、電気機器の構成部品が内部に保管される前室１２０と、互いに隣接する組立室１１０の側端部と前室１２０の側端部とから構成された仕切部１３０とを備える。仕切部１３０は、組立室１１０の側端部と前室１２０の側端部との間に拡張部材１６０を挿入可能な構造、および、組立室１１０と前室１２０とを仕切る間仕切１５０を有する。間仕切１５０は、組立室１１０の側端部および前室１２０の側端部のいずれか一方に択一的に取り付け可能である。組立室１１０および前室１２０は、仕切部１３０に拡張部材１６０が挿入されることにより、いずれか一方が択一的に拡張される。【選択図】図４
2013042037.tif 000002
【特許請求の範囲】
【請求項１】
内部で電気機器が組み立てられる組立室と、
前記組立室に隣接して設けられ、電気機器の構成部品が内部に保管される前室と、
互いに隣接する前記組立室の側端部と前記前室の側端部とから構成された仕切部と
を備え、
前記仕切部は、前記組立室の側端部と前記前室の側端部との間に拡張部材を挿入可能な構造、および、前記組立室と前記前室とを仕切る間仕切を有し、
前記間仕切は、前記組立室の側端部および前記前室の側端部のいずれか一方に択一的に取り付け可能であり、
前記組立室および前記前室は、前記仕切部に前記拡張部材が挿入されることにより、いずれか一方が択一的に拡張される、電気機器の現地組立ハウス。
【請求項２】
前記拡張部材は、前記組立室および前記前室のいずれか一方の外壁となる着脱可能なパネルを含み、
前記組立室および前記前室のいずれか一方は、前記パネルの大きさに従って拡張される、請求項１に記載の電気機器の現地組立ハウス。
【請求項３】
前記拡張部材は、前記組立室および前記前室のいずれか一方の外壁となる伸縮可能な蛇腹状部材を含み、
前記組立室および前記前室のいずれか一方は、伸びた前記蛇腹状部材の大きさに従って拡張される、請求項１に記載の電気機器の現地組立ハウス。
【請求項４】
前記組立室は、内側面に位置して気密性を有する第１シートを含み、
前記拡張部材は、内側面に位置して気密性を有する第２シートを含み、
前記間仕切が前記組立室の側端部に取り付けられた状態で、前記第１シートの端部と前記第２シートの端部とが貼り合わされて前記第１シートと前記第２シートとが繋がれることにより、拡張された前記組立室内が気密に保たれる、請求項１から３のいずれかに記載の電気機器の現地組立ハウス。
【発明の詳細な説明】
【技術分野】
【０００１】
本発明は、電気機器の現地組立ハウスに関し、特に、分解輸送されて現地で組み立てられる電気機器の現地組立ハウスに関する。
【背景技術】
【０００２】
電気機器の現地組立ハウスの構成を開示した先行文献として、特開平１１−７４１２８号公報(特許文献１)がある。特開平１１−７４１２８号公報(特許文献１)に記載された電気機器の現地組立ハウスは、床上に所定の間隔で設置された一対の支柱とこれらの両支柱の各上端に両側が連結された梁とを有する第１〜第３の骨組と、第１〜第３の骨組を囲むように取り付けられた複数の板材からなるパネルユニットと、第２の骨組に取り付けられて前室と組立室とを区画する間仕切りと、第１〜第３の骨組上に伸縮可能に取り付けられて両室の上方を開閉する骨組材と防水シートとから形成された屋根とを備える。
【先行技術文献】
【特許文献】
【０００３】
【特許文献１】特開平１１−７４１２８号公報
【発明の概要】
【発明が解決しようとする課題】
【０００４】
電気機器の構成部品は前室に搬入され、組立室内で電気機器が組み立てられる。組み立てられる電気機器の長さは様々であるため、電気機器の長さに合わせた組立室を有する電気機器の現地組立ハウスが必要となる。
【０００５】
本発明は上記の問題点に鑑みてなされたものであって、組立室および前室の構成部品を共通化しつつ長さの異なる電気機器を組み立て可能な電気機器の現地組立ハウスを提供することを目的とする。
【課題を解決するための手段】
【０００６】
本発明に基づく電気機器の現地組立ハウスは、内部で電気機器が組み立てられる組立室と、組立室に隣接して設けられ、電気機器の構成部品が内部に保管される前室と、互いに隣接する組立室の側端部と前室の側端部とから構成された仕切部とを備える。仕切部は、組立室の側端部と前室の側端部との間に拡張部材を挿入可能な構造、および、組立室と前室とを仕切る間仕切を有する。間仕切は、組立室の側端部および前室の側端部のいずれか一方に択一的に取り付け可能である。組立室および前室は、仕切部に拡張部材が挿入されることにより、いずれか一方が択一的に拡張される。
【発明の効果】
【０００７】
本発明によれば、前室および組立室の構成部品を共通化しつつ長さの異なる電気機器を組み立てることができる。
【図面の簡単な説明】
【０００８】
【図１】本発明の一実施形態に係る電気機器の現地組立ハウスの拡張前の状態の外観を示す斜視図である。
【図２】同実施形態に係る電気機器の現地組立ハウスの構成を示す上面図である。
【図３】同実施形態に係る拡張部材の構成を示す斜視図である。
【図４】同実施形態に係る電気機器の現地組立ハウスの拡張後の状態の外観を示す斜視図である。
【図５】拡張後の電気機器の現地組立ハウスにおいて間仕切を前室の側端部に取り付けた状態を示す上面図である。
【図６】第１シートの端部と第２シートの端部との繋ぎ目を示す一部側面図である。
【図７】拡張後の電気機器の現地組立ハウスにおいて間仕切を組立室の側端部に取り付けた状態を示す上面図である。
【発明を実施するための形態】
【０００９】
以下、本発明の一実施形態に係る電気機器の現地組立ハウスについて図面を参照して説明する。以下の実施形態の説明においては、図中の同一または相当部分には同一符号を付して、その説明は繰り返さない。
【００１０】
本実施形態においては、電気機器として変圧器の組み立てに用いられる現地組立ハウスについて説明するが、電気機器としては変圧器に限られず、分解して搬送されて現地で組立られる電気機器が含まれる。
【００１１】
図１は、本発明の一実施形態に係る電気機器の現地組立ハウスの拡張前の状態の外観を示す斜視図である。図１に示すように、本発明の一実施形態に係る電気機器の現地組立ハウス１００においては、内部で電気機器が組み立てられる組立室１１０と、コイル、鉄心およびタンクなどの電気機器の構成部品が内部に保管され、組立室１１０に隣接する前室１２０とが設けられている。
【００１２】
組立室１１０は、前室１２０との境界を除いて組立室１１０の周囲を囲む側壁と、側壁の上方に設けられた天井１１１とを含む。組立室１１０の側壁は、前室１２０と隣接して互いに対向している側壁１１２，１１３と、側壁１１２，１１３同士の間に位置する背面側壁１１４とから構成されている。
【００１３】
前室１２０は、組立室１１０との境界を除いて前室１２０の周囲を囲む側壁と、側壁の上方に設けられた天井１２１とを含む。前室１２０の側壁は、組立室１１０と隣接して互いに対向している側壁１２２，１２３と、側壁１２２，１２３同士の間に位置する正面側壁１２４とから構成されている。正面側壁１２４には、電気機器の構成部品を搬入するための開閉部１４０が設けられている。
【００１４】
組立室１１０と前室１２０との境界に、互いに隣接する組立室１１０の側端部と前室１２０の側端部とから構成された仕切部１３０が設けられている。仕切部１３０は、組立室１１０の側端部と前室１２０の側端部との間に後述する拡張部材を挿入可能な構造を有している。また、仕切部１３０は、組立室１１０と前室１２０とを仕切る間仕切１５０を有する。間仕切１５０は、組立室１１０の側端部および前室１２０の側端部のいずれか一方に択一的に取り付け可能である。
【００１５】
図２は、本実施形態に係る電気機器の現地組立ハウスの構成を示す上面図である。なお、図２においては、天井１１１および天井１２１の内側から電気機器の現地組立ハウス１００の内部を見た図を示している。
【００１６】
図２に示すように、組立室１１０は、骨格部となる２本の柱１１５、柱１３１および柱１３２と、隣接する柱同士の間を塞ぐ３つのパネルとを含む。具体的には、側壁１１２となるパネルが、２本の柱１１５，１３１に取り付けられている。側壁１１３となるパネルが、２本の柱１１５，１３２に取り付けられている。背面側壁１１４となるパネルが、２本の柱１１５に取り付けられている。
【００１７】
組立室１１０は、内側面に位置して気密性を有する第１シートを含む。具体的には、側壁１１２の内側に、第１シートであるシート１１６が、２本の柱１１５，１３１の間に貼り付けられている。側壁１１３の内側に、第１シートであるシート１１７が、２本の柱１１５，１３２の間に貼り付けられている。背面側壁１１４の内側に、第１シートであるシート１１８が、２本の柱１１５の間に貼り付けられている。
【００１８】
２本の柱１３１，１３２の上方で、２本の柱１３１，１３２の上端同士を橋渡しするように梁１３５が位置している。梁１３５は、後述する間仕切１５０が着脱自在に取り付けられる着脱部を下面に有している。この２本の柱１３１，１３２と梁１３５とが、組立室１１０における前室１２０に隣接する側端部を構成している。
【００１９】
前室１２０は、骨格部となる２本の柱１２５、２本の柱１２６、柱１３３および柱１３４を含む。また、前室１２０は、組立室１１０との境界に位置する２本の柱１３３，１３４と２本の柱１２５とからなる４本の柱のうちの隣接する柱同士の間を塞ぐ３つのパネルを含む。
【００２０】
具体的には、側壁１２２となるパネルが、２本の柱１２５，１３３に取り付けられている。側壁１２３となるパネルが、２本の柱１２５，１３４に取り付けられている。正面側壁１２４となる正面パネルが、２本の柱１２５に取り付けられている。正面パネルは、開閉部１４０が設けられる位置に開口を有する。
【００２１】
２本の柱１２６は、正面パネルの開口のいずれか一方の側方の縁に沿うようにそれぞれ位置している。２本の柱１２６は、それぞれ２本の柱１２５の一方と連結されている。２本の柱１３３，１３４の上方で、２本の柱１３３，１３４の上端同士を橋渡しするように梁１３６が位置している。梁１３６は、後述する間仕切１５０が着脱自在に取り付けられる着脱部を下面に有している。この２本の柱１３３，１３４と梁１３６とが、前室１２０における組立室１１０に隣接する側端部を構成している。
【００２２】
上記の仕切部１３０は、組立室１１０の側端部に含まれる２本の柱１３１，１３２および梁１３５と、前室１２０の側端部に含まれる２本の柱１３３，１３４および梁１３６と、間仕切り１５０とから構成されている。
【００２３】
図１，２に示すように、拡張前の状態における電気機器の現地組立ハウス１００では、前室１２０の側端部に含まれる梁１３６の下面の着脱部に間仕切１５０が取り付けられている。間仕切１５０は、梁１３６の延在方向に沿って開閉する複数のカーテン状部材を含む。
【００２４】
組立室１１０内で変圧器１０が組み立て可能である場合には、仕切部１３０に拡張部材が挿入されない状態、すなわち、組立室１１０が拡張されない状態で電気機器の現地組立ハウス１００が建設される。
【００２５】
変圧器１０の長さより長い変圧器１０ａを組み立てる際に、拡張前の組立室１１０内では変圧器１０ａを組み立てられない場合は、仕切部１３０に拡張部材が挿入された状態で電気機器の現地組立ハウス１００ａが建設される。
【００２６】
図３は、本実施形態に係る拡張部材の構成を示す斜視図である。図３に示すように、本実施形態に係る拡張部材１６０は、４本の柱１６３〜１６６、２つの側部パネル１６１，１６２および上部パネル１６９を含む。
【００２７】
具体的には、互いに対向する２本の柱１６３，１６４の間に側部パネル１６１が挟まれて着脱可能に固定されている。たとえば、柱１６３と柱１６４とが、互いの間に側部パネル１６１を挟んだ状態で、締結部材により連結されている。
【００２８】
互いに対向する２本の柱１６５，１６６の間に側部パネル１６２が挟まれて着脱可能に固定されている。たとえば、柱１６５と柱１６６とが、互いの間に側部パネル１６２を挟んだ状態で、締結部材により連結されている。
【００２９】
互いに対向する２つの側部パネル１６１，１６２の上部同士を繋ぐように上部パネル１６９が着脱可能に固定されている。たとえば、側部パネル１６１と側部パネル１６２とが、互いの間に上部パネル１６９を挟んだ状態で、締結部材により連結されている。
【００３０】
拡張部材１６０は、内側面に位置して気密性を有する第２シートを含む。具体的には、側部パネル１６１の内側に、第２シートであるシート１６７が貼り付けられている。側部パネル１６２の内側に、第２シートであるシート１６８が貼り付けられている。
【００３１】
２つの側部パネル１６１，１６２の間の間隔は、組立室１１０の２本の柱１３１，１３２の間の間隔、および、前室１２０の２本の柱１３３，１３４の間の間隔と略同一である。上部パネル１６９が位置する高さは、組立室１１０の梁１３５および前室１２０の梁１３６が位置する高さと略同一である。２つの側部パネル１６１，１６２および上部パネル１６９の幅は、組み立てられる変圧器１０ａの長さに対応して決められる。
【００３２】
図４は、本実施形態に係る電気機器の現地組立ハウスの拡張後の状態の外観を示す斜視図である。図５は、拡張後の電気機器の現地組立ハウスにおいて間仕切を前室の側端部に取り付けた状態を示す上面図である。なお、図５においては、天井１１１および天井１２１の内側から電気機器の現地組立ハウス１００ａの内部を見た図を示している。
【００３３】
図４，５に示すように、仕切部１３０に拡張部材１６０が挿入されることにより、電気機器の現地組立ハウス１００ａが拡張される。具体的には、組立室１１０の側端部に含まれる２本の柱１３１，１３２および梁１３５と、前室１２０の側端部に含まれる２本の柱１３３，１３４および梁１３６との間に、拡張部材１６０が挿入されて締結部材により固定されることにより、電気機器の現地組立ハウス１００ａが長くなる。
【００３４】
間仕切１５０を梁１３６の下面の着脱部に取り付けているため、拡張部材１６０の挿入により拡張された部分は組立室１１０に含まれる。すなわち、拡張部材１６０の側部パネル１６１，１６２および上部パネル１６９は、組立室１１０の外壁となる。組立室１１０が拡張されることにより、長い変圧器１０ａを組立室１１０内で組み立てることが可能となる。
【００３５】
本実施形態においては、組立室１１０の第１シートの端部と拡張部材１６０の第２シートの端部とが繋がれている。図６は、第１シートの端部と第２シートの端部との繋ぎ目を示す一部側面図である。
【００３６】
図６に示すように、拡張部材１６０のシート１６８の端部１６８ａは、組立室１１０のシート１１７の端部と、たとえば、面ファスナーなどで繋ぎあわされている。すなわち、シート１６８は、側部パネル１６２、柱１６６および柱１３２の幅より大きな幅で形成されており、端部１６８ａに面ファスナーなどの連結部が設けられている。
【００３７】
図示しないが、拡張部材１６０のシート１６７の端部と、組立室１１０のシート１１６の端部とが同様に繋ぎあわされている。このようにすることにより、拡張された組立室１１０内を一体にして組立室１１０内を気密に保つことができる。そのため、変圧器１０ａを清浄な雰囲気に保たれた組立室１１０内で組み立てることができ、変圧器１０ａの品質を維持することができる。
【００３８】
変圧器１０ａの長さに対応して、幅の異なる側部パネル１６１，１６２および上部パネル１６９を含む拡張部材１６０を仕切部１３０に挿入することにより、組立室１１０内で変圧器１０ａを組み立てることが可能となる。
【００３９】
また、本実施形態に係る電気機器の現地組立ハウス１００では、間仕切１５０を組立室１１０の側端部に取り付けることが可能である。図７は、拡張後の電気機器の現地組立ハウスにおいて間仕切を組立室の側端部に取り付けた状態を示す上面図である。なお、図７においては、天井１１１および天井１２１の内側から電気機器の現地組立ハウス１００ｂの内部を見た図を示している。
【００４０】
図７に示すように、拡張後の状態における電気機器の現地組立ハウス１００ｂでは、組立室１１０の側端部に含まれる梁１３５の下面の着脱部に間仕切１５０が取り付けられている。
【００４１】
間仕切１５０を梁１３５の下面の着脱部に取り付けているため、拡張部材１６０の挿入により拡張された部分は前室１２０に含まれる。すなわち、拡張部材１６０の側部パネル１６１，１６２および上部パネル１６９は、前室１２０の外壁となる。前室１２０が拡張されることにより、組み立て段階の初期において小さな構成部品からなる変圧器１０ｂの組み立てには使用しない門型リフターなどの大型装置を前室１２０内に収納しておくことができる。
【００４２】
このように、組立室１１０および前室１２０のいずれか一方を択一的に拡張することにより、長さの異なる変圧器の組み立てに対応することができるため、組立室１１０および前室１２０の構成部品を共通化しつつ長さの異なる電気機器を組み立てることができる。また、組み立て段階によって、組立室１１０および前室１２０の大きさを択一的に変更することができる。
【００４３】
本実施形態においては、拡張部材１６０は、側部パネル１６１，１６２および上部パネル１６９を含んでいたが、拡張部材１６０の構成はこれに限られない。
【００４４】
たとえば、拡張部材１６０は、組立室１１０および前室１２０のいずれか一方の外壁となる伸縮可能な図示しない蛇腹状部材を含むように構成されてもよい。この場合、組立室１１０および前室１２０のいずれか一方は、伸びた蛇腹状部材の大きさに従って拡張される。
【００４５】
このようにした場合、拡張部材１６０により拡張すべき長さに対応する側部パネルおよび上部パネルを都度用意する必要がなく、拡張部材１６０の汎用性を高めることができる。
【００４６】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４７】
１０，１０ａ，１０ｂ  変圧器、１００，１００ａ，１００ｂ  電気機器の現地組立ハウス、１１０  組立室、１１１，１２１  天井、１１２，１１３，１２２，１２３  側壁、１１４  背面側壁、１１５，１２５，１２６，１３１，１３２，１３３，１３４，１６３，１６４，１６５，１６６  柱、１１６，１１７，１１８，１６７，１６８  シート、１２０  前室、１２４  正面側壁、１３０  仕切部、１３５，１３６  梁、１４０  開閉部、１５０  間仕切、１６０  拡張部材、１６１，１６２  側部パネル、１６８ａ  端部、１６９  上部パネル。
【図１】
2013042037.tif 000003
【図２】
2013042037.tif 000004
【図３】
2013042037.tif 000005
【図４】
2013042037.tif 000006
【図５】
2013042037.tif 000007
【図６】
2013042037.tif 000008
【図７】
2013042037.tif 000009